(57)【特許請求の範囲】
【請求項１】
クラウンの正面に配置されるロゴ又はマークを考慮して位置が設定されている内側ネジ切り部をクラウンに配する工程と；
２つのネジ切り部分を含む中間チューブを用意する工程と；
前記中間チューブを腕時計ケースの滑らかなスルーホール内に取り付け、これを組立てジグ上にくさび止めして、上記クラウンの内側ネジ切り部を収容する上記チューブのネジ切りスタート部を、上記チューブにクラウンがネジ止めされるときにロゴが定められた位置に配されるような角度位置に配置する工程と；
ナットを配して、上記チューブを前記角度位置に固定する工程と
を含むことを特徴とする、腕時計上にネジ止めされたクラウンを組立てる方法。
【請求項２】
上記内側ネジ切り部を備えたクラウンの製造には、
ネジ切りされたリングを用意する工程と；
前記クラウンの表面に設けたロゴまたはマークを考慮して前記内側ネジ切り部の位置を設定するように組立てジグを用いて前記リングを位置決めする工程と；
前記リングを、前記クラウン上の前記設定された位置に固定する工程
とが含まれることを特徴とする請求項１に記載の組立て方法。
【請求項３】
正面にロゴまたはマークが含まれており、内側にネジ切り部が設けられ、ネジ止めされたクラウンと、
前記内側ネジ切り部を格納するための外部ネジ切り部を含む中間チューブであって、前記内側ネジ切り部が前記ケースに固定して取り付けられる中間チューブと
を含み、
上記クラウンの内側ネジ切り部の位置は上記ロゴまたはマークを考慮してに対して設定されること、および上記中間チューブは、上記ケースに関して角度をもった方向に向けることが可能であるように上記ケース内に取り付けられ、かつ上記ケース上の定められた角度を有する位置に固定されることを特徴とするような、
腕時計ケース。
【請求項４】
前記正面の反対側の側面においては、上記クラウンは前記内側ネジ切り部が設けられたリングが固定されて取り付けられた、角度を有する溝を含むことを特徴とする請求項３に記載の腕時計ケース。
【請求項５】
前記リングは前記クラウンに溶接されることを特徴とする請求項４に記載の腕時計ケース。
【請求項６】
前記中間チューブは、前記ケース内に配される滑らかなホールに取り付けられること、および、ナットを用いて前記ケースの定められた角度を有する位置に固定されることを特徴とする請求項３から５のいずれかに記載の腕時計ケース。
【発明の詳細な説明】
【０００１】
本発明は、巻クラウンなどといったネジ止めされたクラウンを腕時計ケースに組立てる方法に関する。
【０００２】
より詳細には、腕時計ケースにネジ止めされたクラウンの位置を前記クラウンの時計ケースの面上のポインタに対して、前記クラウンの前面につけられたロゴがネジを外された後に常に容易に定められた位置または方向となるように、設定することが可能となるこのタイプの組立て方法に関する。
【０００３】
本発明はまた、定められた方法でロゴが方向付けされているような、上記ロゴを含むネジ止めされたクラウンが設けられる腕時計ケースに関するものである。
【０００４】
腕時計ケース上にネジ止めされたクラウンの製造や組立てをすることは公知である。しかし上記クラウンの組立て方法には重大な欠点がある。公知の組立て方法では、クラウンが、ネジを外された後に腕時計ケースに対して定められた方向になったということを保証することができない。このことは、マークまたはロゴがクラウンの表面に付される場合には腕時計ケースの美的外観を損なうものである。この状況は、上記のようなクラウンが豪奢な高級製品に取り付けられる場合には、勿論容認することが出来ないものである。
【０００５】
本発明の主な目的は、ロゴまたはマークを含むクラウンのネジが外された後に、クラウンが定められた位置または方向になるように再度ネジ止めされることがシステム的に可能となるような、簡単かつ経済的な上記クラウンの組立て方法を提供することによって、前述の先行技術における欠点を克服することである。
【０００６】
したがって本発明は、
クラウンの正面上に配置されるロゴに対して位置が設定される内側ネジ切り部をクラウンに配する工程と；
２つのネジ切り部分を含む中間チューブを用意する工程と；
前記中間チューブを腕時計ケースの滑らかなスルーホール内に取り付け、これを組立てジグ上にくさび止めして、上記クラウンの内側ネジ切り部を収容する上記チューブのネジ切りスタート部を、上記チューブにクラウンがネジ止めされるときにロゴが定められた位置に配されるような角度位置に配置する工程と；
ナットを配して、上記チューブを前記角度位置に固定する工程
とを含むことを特徴とする、腕時計上にネジ止めされたクラウンを組立てる方法に関する。
【０００７】
本発明の利点となる特徴によると、角度を設定された内側ネジ切り部を備えたクラウンの製造には、
ネジ切りされたリングを用意する工程と；
前記クラウンの表面に設けたロゴまたはマークを考慮して前記内側ネジ切り部の位置を設定するように組立てジグを用いて前記リングを位置決めする工程と；
前記リングを、前記クラウン上の前記設定された位置に固定する工程
とが含まれる。
【０００８】
本発明はまた、内側ネジ切り部を設けた、ネジ止めされたクラウンであって、正面にロゴまたはマークが含まれるようなクラウンと、前記内側ネジ切り部の格納を目的とするネジ切りされた外側部を含む中間チューブであって、上記ケースに固定して取り付けられる中間チューブとを含む腕時計ケースに関するものであり、後者は、上記クラウンの上記内側ネジ切り部の位置が上記ロゴまたは上記マークを考慮して設定されていること、および上記中間チューブが上記ケースに関して角度をもった方向に向けることが可能であるように上記ケース内に取り付けられ、かつ上記ケース上の定められた角度を有する位置に固定されることを特徴とする。
【０００９】
前記正面とは反対側の側面における有利な特徴によると、上記クラウンは、内側ネジ切り部が設けられたリングが固定して取り付けられるような角度を持った溝を含む。別の特徴によると、上記リングは上記クラウンに溶接される。
【００１０】
別の特徴によると、上記中間チューブは上記ケース内に配される滑らかなホールに取り付けられるとともに、ナットを用いて上記ケースに固定される。
【００１１】
本発明のその他の特徴および利点は、添付の図面を参照しながら、例に限定されない形で、以下の好ましい実施例の説明において明らかになるであろう。
【００１２】
ネジ止めされたクラウン１を、図面では一部しか示されていない腕時計ケース２上に組立てる方法について、図１および２とともに以下に説明する。ネジ止めされたクラウン１は、そのクラウンがネジ止めされた位置において、ケース２に対して定められた角度をもった方向を有するロゴまたはマーク５が付されている正面４を有するヘッド３からなる第１部分を含む。この第１部分は、従来の方法でムーブメントに接続される。ヘッド６には、正面４の反対側に、内側ネジ切り部９を備えたリング８を収容する環状溝７が備えられている。リング８は、（図示されない）組立てジグを用いて溝７内に位置決めされ、ロゴ５に対して内側ネジ切り部９の位置を設定すると共に、溝７内に前記角度が決められた位置に固定される。上記位置設定作業はカメラを用いて行うことが望ましく、上記固定作業はたとえばレーザー溶接などの溶接作業によって行うことが望ましい。このためロゴ５は、内側ネジ切り部９のスタート部分に対して定められた既知の角度位置を有する。クラウン１はさらに、ケース２に接続される第２部分を含む。この第２部分は、中間チューブ１０と、チューブ１０をケース２上の定められた角度位置に固定する目的のナット１１とを含む。チューブ１０は、ナット１１および角度を設定された内側ネジ切り部９とそれぞれ協働する、２つの外側にネジ切りされた部分１２および１３を含む。本発明の方法によると、チューブ１０は滑らかなケースのスルーホール１４内に自由に取り付けられる。そしてチューブ１０は（図示されない）組立てジグを用いて溶接され、ネジ切り部１３のスタート部は、クラウン１がチューブ１０上にネジ止めされる場合に前記ロゴ５が上記ケースに対して定められた角度の位置に置かれるような角度位置に配される。この溶接作業が一旦完了すると、チューブ１０はナット１１によって固定される。
【００１３】
上記クラウンは、配置された際にはチューブ１０上に可能な限りすでにネジ止めされており、設定はその後、ネジ切り部１３のスタート時ではなく、ナット１１を用いてチューブ１０をくさび止めする前にロゴを方向付ける際に直接的に行われるということを述べておく。
【図面の簡単な説明】
【図１】  本発明の方法によって組立てられたクラウンの断面図を示す。
【図２】  本発明の方法を実行する前のクラウンの分解図を示す。
【図１】
0004515684.tif 000002
【図２】
0004515684.tif 000003